(57)【特許請求の範囲】
【請求項１】
文字板を構成する複数の表示部のそれぞれについて３次元モデルを個別に作成する３次元モデル作成部と、該３次元モデル作成部で得られた各表示部の３次元モデルに対し、異なる光源を指定してレンダリングを行い、該レンダリングが施された３次元モデルのデータをそれぞれ２次元平面に投影し、立体感のある２次元データを個別に作りだすレンダリング部と、該レンダリング部で作成された各表示部の２次元データを蓄積する画像蓄積部と、該画像蓄積部に蓄積された各表示部の２次元データを文字板の一部を構成する見返部と合成する画像合成部とを備えたことを特徴とする文字板の作成装置。
【請求項２】
文字板を構成する複数の表示部のそれぞれについて３次元モデルを個別に作成し、得られた各計器の３次元モデルに対し異なる光源を指定してレンダリングを行い、該レンダリングが施された３次元モデルのデータをそれぞれ２次元平面に投影し、立体感のある２次元データを個別に作りだし、得られた各計器の表示部の２次元データを文字板の一部を構成する見返部と合成することを特徴とする文字板の作成方法。
【発明の詳細な説明】
【０００１】
【発明の属する技術分野】
この発明は、例えば、自動車やその他の装置などに設備される計器類の文字板の作成装置および方法に関するものである。
【０００２】
【従来の技術】
例えば、自動車に装備される計器類の文字板は、透明もしくは半透明の平板状をした基材の片面にスクリーン印刷手段により白色等の明色透過着色層を形成し、次いで、その透過着色層の表面に、上記と同様のスクリーン印刷手段により、目盛や数字などの輪郭が除かれた遮光性の暗色不透過印刷層を形成し、昼間においては、その文字板に形成されている目盛や数字などを反射光で目視し、また、夜間においては、上記文字板の裏側に配設されている光源からの光で上記目盛や数字などを透過目視するように構成されている。
【０００３】
ところが、上記文字板の作成手段においては、上記透過着色層や不透過印刷層をスクリーン印刷手段によって形成しているが、スクリーン印刷手段では、使用する基材が平面でなければならないため、立体形状をした基材へのスクリーン印刷が困難であり、例えば、奥行感のある立体的な文字板の作成が困難となっていた。
【０００４】
そこで、立体的な文字板を作成するため、上記スクリーン印刷手段によって透過着色層や不透過印刷層を形成した後に、文字板をプレス成形して立体化することが考えられるが、スクリーン印刷後に更にプレス成形を行うこととなるので、製造コストが高くなるという問題がある。
【０００５】
加えて、スクリーン印刷後にプレス成形を行うと、スクリーン印刷の層にキズを生じやすく、文字板の品質低下を招くなどの問題があった。
【０００６】
そのため、コンピュータグラフィックスによって文字板の３次元モデルを作成し、得られた３次元モデル７のデータを２次元平面に投影すると共に光源を指定してレンダリング（目盛や数値や地色付けなどの色彩付けおよび陰影付け）を行い立体感のある２次元データを作りだし、該２次元データから直接印刷原版を出力し、該印刷原版を用いてグラデーション印刷を行うことにより、図５に示すような立体感のある文字板１を作成することが考えられている。
【０００７】
【発明が解決しようとする課題】
しかしながら、このようなコンピュータグラフィックスを利用したグラデーション印刷では、図６に示すように、文字板１が、見返部２に速度計、回転計、燃料計、水温計などの複数の計器の表示部３〜６を備えた大型のコンビネーションパネルである場合に、一つの光源を用いてレンダリングを行っているために、文字板１全体として光源に近い側（図中右側）が明るくなり光源から離れた側（図中左側）が暗くなってしまうので、各計器の表示部３〜６について見ると均一な立体感がなく違和感のある文字板１になってしまうという問題があった。
【０００８】
そこで、本発明の目的は、上記の問題点を解消し、文字板が複数の計器類の表示部を備えたコンビネーションパネルである場合に、各計器の表示部について良好な立体感を演出することのできる文字板の作成装置および方法を提供することにある。
【０００９】
【課題を解決するための手段】
上記課題を解決するために、請求項１に記載された発明では、文字板を構成する複数の表示部のそれぞれについて３次元モデルを個別に作成する３次元モデル作成部と、該３次元モデル作成部で得られた各表示部の３次元モデルに対し、異なる光源を指定してレンダリングを行い、該レンダリングが施された３次元モデルのデータをそれぞれ２次元平面に投影し、立体感のある２次元データを個別に作りだすレンダリング部と、該レンダリング部で作成された各表示部の２次元データを蓄積する画像蓄積部と、該画像蓄積部に蓄積された各表示部の２次元データを文字板の一部を構成する見返部と合成する画像合成部とを備えたことを特徴としている。
【００１０】
このように構成された請求項１にかかる発明によれば、３次元モデル作成部が、文字板を構成する複数の表示部のそれぞれについて３次元モデルを個別に作成する。
【００１１】
そして、レンダリング部が、３次元モデル作成部で得られた各表示部の３次元モデルのデータをそれぞれ２次元平面に投影する際に各表示部ごとに異なる光源を指定してレンダリング（目盛や数字や地色などの色彩付けおよび陰影付け）を行い立体感のある２次元データを個別に作りだす。
【００１２】
レンダリング部で作成された各表示部の２次元データは画像蓄積部に蓄積される。
【００１３】
画像蓄積部に蓄積された各表示部の２次元データを、画像合成部で文字板の見返部と合成する。
【００１４】
その後は、画像合成部で得られた合成画像をもとに出力部で直接印刷原版を出力し、最後に、出力部で出力された印刷原版を用いて、印刷部でグラデーション印刷を行う。
【００１５】
以上により、良好な立体感のある文字板が作成される。
【００１６】
このように、文字板が、見返部に複数の表示部を備えた大型のコンビネーションパネルである場合に、各表示部ごとに個別に３次元モデルを作成し、個別の光源を用いてレンダリングを行い、得られた２次元データを合成するようにしているので、大型のコンビネーションパネルであっても違和感のない立体感のある文字板を作成することができる。また、大型のコンビネーションパネルなどの場合に、左右で明暗の差が大きく現れることのない、均一な立体感を有する文字板を作成することができる。
【００１７】
更に、各表示部にスポットライトが当たった感じとなり美観を向上することができる。
【００１８】
加えて、各表示部ごとに光源の位置を変更・調整することにより、各表示部の立体感を自由に調整することが可能となる。
【００１９】
また、請求項２に記載された発明では、文字板を構成する複数の表示部のそれぞれについて３次元モデルを個別に作成し、得られた各計器の３次元モデルに対し異なる光源を指定してレンダリングを行い、該レンダリングが施された３次元モデルのデータをそれぞれ２次元平面に投影し、立体感のある２次元データを個別に作りだし、得られた各計器の表示部の２次元データを文字板の一部を構成する見返部と合成することを特徴としている。
【００２０】
このように構成された請求項２にかかる発明によれば、請求項１と同様の作用効果を得ることができる。
【００２１】
【発明の実施の形態１】
以下、本発明の具体的な実施の形態１について、図示例と共に説明する。
【００２２】
図１〜図４は、この発明の実施の形態１を示すものである。なお、前記従来例と同一ないし均等な部分については、同一の符号を付して説明する。
【００２３】
まず、構成を説明すると、この実施の形態１のものでは、コンピュータグラフィックスによって文字板１を構成する見返部２および速度計、回転計、燃料計、水温計などの複数の計器のそれぞれの表示部３〜６について３次元モデル７を個別に作成する３次元モデル作成部８と、３次元モデル作成部８で得られた見返部２および各計器の表示部３〜６の３次元モデル７に対し異なる光源を指定してレンダリング（陰影付けおよび色彩付け）を行い、該レンダリング処理が施された３次元モデルのデータをそれぞれ２次元平面に投影し、立体感のある２次元データ９を個別に作りだすレンダリング部１０と、レンダリング部１０で作成された見返部２および各計器の表示部３〜６の２次元データ９を蓄積する画像蓄積部１１と、画像蓄積部１１に蓄積された見返部２および各計器の表示部３〜６の２次元データ９を合成する画像合成部１２とを設ける。
【００２４】
そして、画像合成部１２で得られた合成画像１３をもとに直接印刷原版１４を出力する出力部１５を設ける。
【００２５】
更に、出力部１５で出力された印刷原版１４を用いてグラデーション印刷を行う印刷部１６を設ける。
【００２６】
次に、この実施の形態１の作用について、図を用いながら説明する。
【００２７】
３次元モデル作成部８が、コンピュータグラフィックスによって文字板１を構成する見返部２および速度計、回転計、燃料計、水温計などの複数の計器のそれぞれについて３次元モデル７を個別に作成する。
【００２８】
該３次元モデル７は、例えば、図２に示すような円板状をしたものであり、比較的大きく傾斜した目盛を描くための周縁領域イと、比較的緩く傾斜した数字を描くための中間領域ロと、比較的平坦な指針が回動するための中心領域ハとで構成されている。
【００２９】
そして、レンダリング部１０が、３次元モデル作成部８で得られた見返部２および各計器の３次元モデル７のデータをそれぞれ２次元平面に投影する際に見返部２および各計器の表示部３〜６ごとに異なる光源を指定してレンダリング（目盛や数字や地色などの色彩付けおよび陰影付け）を行い立体感のある２次元データ９を個別に作りだす。
【００３０】
、なお、この時各光源の位置（方向）の他に光源の光の強度、文字板の材料の反射特性、視線の方向等の条件も考慮することにより、さらに立体感のある２次元データを作ることができる。
【００３１】
レンダリング部１０で作成された見返部２および各計器の表示部３〜６の２次元データ９は画像蓄積部１１に蓄積される。
【００３２】
画像蓄積部１１に蓄積された見返部２および各計器の表示部３〜６の２次元データ９を、図３に示すように、画像合成部１２で合成する。
【００３３】
そして、画像合成部１２で得られた合成画像１３をもとに出力部１５で直接印刷原版１４を出力する。
【００３４】
最後に、出力部１５で出力された印刷原版１４を用いて、印刷部１６でグラデーション印刷を行う。
【００３５】
以上により、図４に示すような良好な立体感のある文字板１が作成される。
【００３６】
このように、本発明によれば、文字板１が、見返部２に速度計、回転計、燃料計、水温計などの複数の計器類の表示部３〜６を備えた大型のコンビネーションパネルである場合に、各計器ごとに個別に３次元モデル７を作成し、個別の光源を用いてレンダリングを行い、得られた２次元データ９を合成するようにしているので、大型のコンビネーションパネルであっても違和感のない立体感のある文字板１を作成することができる。また、大型のコンビネーションパネルなどの場合に、左右で明暗の差が大きく現れることのない、均一な立体感を有する文字板１を作成することができる。
【００３７】
更に、各計器の表示部３〜６にスポットライトが当たった感じとなり美観を向上することができる。
【００３８】
加えて、各計器ごとに光源の位直を変更・調整することにより、各表示部３〜６の立体感を自由に調整することが可能となる。
【００３９】
なお、本実施例においては、見返部２についても立体感を有するものとしたが、見返部２は平面とし、各計器の表示部３〜６のみを立体感を有する文字板としても良いことはいうまでもない。
【００４０】
また、立体感を有するものは各計器の表示部３〜６のみに限らず、見返部２上に形成される各種ワーニング等の情報表示部に対して立体感を与えることも可能である。
【００４１】
以上、この発明の実施の形態を図面により詳述してきたが、具体的な構成はこの実施の形態に限らず、この発明の要旨を逸脱しない範囲の設計の変更等があってもこの発明に含まれる。
【００４２】
例えば、本発明の方法は、自動車用の計器類の表示部に限らず、工業計測用やオーディオ用や船舶・航空用や時計用の計器類の表示部の作成にも使用することが可能である。
【００４３】
【発明の効果】
以上説明してきたように、請求項１の発明によれば、文字板が、見返部に複数の表示部を備えた大型のコンビネーションパネルである場合に、各表示部ごとに個別に３次元モデルを作成し、個別の光源を用いてレンダリングを行い、得られた２次元データを合成するようにしているので、大型のコンビネーションパネルであっても違和感のない立体感のある文字板を作成することができる。
【００４４】
また、大型のコンビネーションパネルなどの場合に、左右で明暗の差が大きく現れることのない、均一な立体感を有する文字板を作成することができる。
【００４５】
更に、各表示部にスポットライトが当たった感じとなり美観を向上することができる。
【００４６】
加えて、各表示部ごとに光源の位置を変更・調整することにより、各表示部の立体感を自由に調整することが可能となる。
【００４７】
請求項２の発明によれば、請求項１と同様の効果を得ることができる、という実用上有益な効果を発揮し得る。
【図面の簡単な説明】
【図１】本発明の実施の形態１の方法に使用する装置の系統図である。
【図２】各計器表示部の３次元モデルを示す斜視図である。
【図３】各計器の表示部の２次元データを合成する様子を示す正面図である。
【図４】本発明の方法によって得られた文字板を示す正面図である。
【図５】従来のコンピュータグラフィツクスを利用して作成した文字板の正面図である。
【図６】文字板がコンビネーションパネルである場合の従来のコンピュータグラフィックスを利用して作成した文字板の正面図である。
【符号の説明】
１      文字板
２      見返部
３〜６  表示部
７      ３次元モデル
８      ３次元モデル作成部
９      ２次元データ
１０    レンダリング部
１１    画像蓄積部
１２    画像合成部
【図１】
0004067654.tif 000002
【図２】
0004067654.tif 000003
【図３】
0004067654.tif 000004
【図４】
0004067654.tif 000005
【図５】
0004067654.tif 000006
【図６】
0004067654.tif 000007